(57)【要約】【課題】誤りの頻度に応じた反復回数を行うターボ復号方法およびターボ復号を有する受信装置を提供する。【解決手段】入力信号を推定し推定結果を示す信号１ｃおよび該ターボ復号の復号結果を示す信号１ｄの少なくともいずれかにより該ターボ復号の反復回数を決定し、決定した信号１ｅの反復回数で該ターボ復号の反復回数を制御することを特徴とする。【選択図】  図１
2004229169.tif 000002
【特許請求の範囲】
【請求項１】
それぞれの要素符号に対応する復号を、他方の復号結果を利用しながら繰り返して反復するターボ復号方法において、入力信号を推定し推定結果を示す信号および該ターボ復号の復号結果を示す信号の少なくともいずれかにより該ターボ復号の反復回数を決定し、決定した反復回数で該ターボ復号の反復回数を制御することを特徴とするターボ復号方法。
【請求項２】
それぞれの要素符号に対応する復号を、他方の復号結果を利用しながら繰り返して反復するターボ復号をする受信装置において、受信状態を推定する手段と、推定結果を示す信号および該ターボ復号の復号結果を示す信号の少なくともいずれかにより該ターボ復号の反復回数を決定する手段とを備え、決定した反復回数で該ターボ復号の反復回数を制御することを特徴とするターボ復号を有する受信装置。
【発明の詳細な説明】
【０００１】
【発明の属する技術分野】
本発明は、符号化されているデータを入力してターボ復号を行うターボ復号方法およびターボ復号を有する受信装置に関する。
【０００２】
【従来の技術】
従来の技術をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）変調による電波の送受信を例に説明する。
【０００３】
ＯＦＤＭは多数の直交するキャリア信号を多重化するディジタル変調手法で、ＦＤＭＡやＴＤＭＡ，ＣＤＭＡなどの無線アクセス方式のひとつである。諸外国でのラジオ放送やＡＤＳＬ、ディジタル地上波テレビ放送、一部のＰＬＣモデムなどにも盛り込まれており、移動体通信分野における第四世代（４Ｇ）にも用いることが検討されている。
【０００４】
図８のように、ＯＦＤＭの各キャリアは、区間Ｔ（＝１／ｆ０、ただしｆ０は間隔）、周波数（ｆｃ＋ｋｆ０、ただしｆｃは基準周波数、ｋは正の整数）の正弦波で、スペクトルは、間隔ｆ０で振動している。また、お互いに、ほかのキャリア周波数において大きさが零になる。
【０００５】
また図９のように、ＯＦＤＭではスペクトルが重なっているため、周波数帯域の有効利用が可能であるのが、通常のマルチキャリア変調方式とは異なる。
【０００６】
また図１０のように、ＯＦＤＭ電力スペクトルは、すべてのキャリアを並べたものになり、  矩形に近くなるので、さらに周波数の利用効率が良くなる。
【０００７】
ＯＦＤＭセグメントのフレーム構成には，データ信号以外に，ＣＰ（Ｃｏｎｔｉｎｕａｌ  Ｐｉｌｏｔ），ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ），ＳＰ（Ｓｃａｔｔｅｒｅｄ  Ｐｉｌｏｔ）の３種類の特殊信号がある。ＣＰは主に周波数の粗い同期のため、ＴＭＣＣは階層ごとのキャリア変調方式や誤り訂正などを指定するために挿入されている。ＯＦＤＭセグメントごとにＣＰ，ＴＭＣＣのキャリア位置が決められている。
【０００８】
無線通信ではアンテナから送信された信号はその方向によって様々な経路を通過して受信点に到着する。図１１のように、電波が送信機１１１の送信アンテナ１１１ａと受信機１１２の受信アンテナ１１２ａの間を伝搬する過程を基に考えると、直接波以外に、障害物１１３によって、反射波、透過波、回折波などが考えられる。このように、一つの信号に対して複数の伝送路が存在することをマルチパス（多重波伝送路：ｍｕｌｔｉｐａｔｈ）と呼び、無線通信の大きな特徴である。
【０００９】
また移動体通信においては、図１２のように、送信アンテナ１１１ａの点では同一であった信号が、色々な経路１，経路２，経路３を通過して変動を受け、移動体１２１に備えた受信機の受信アンテナ１１２ａの点で合成される。この時、通過した経路長の違いから、それぞれの波の強度や位相が互いに異なり、強め合う場所と、弱め合う場所ができる。従って、マルチパス環境では送信アンテナ１１１ａと受信アンテナ１１２ａの微妙な位置関係で、受信電界強度は複雑にしかも大きく変動する。一般に様々な原因のために生じる電界強度の変動をフェージング（ｆａｄｉｎｇ）と呼ぶ。マルチパスによる電界強度の変動はマルチパスフェージングと呼ばれる。
【００１０】
また、マルチパスによる遅延が大きくなるとサブチャネル間の直交性が保たれなくなり、等化によっても誤りを回避できなくなる。そこで図１３のようにガードインターバルが考慮される必要がある。ガードインターバルとは遅延波により１つ前のデータが現在のデータに食い込んでくることで直交が乱されることを防ぐために設けるものである。これは、サブチャネルの周波数間隔を変えずに、１シンボル長を、有効バースト１３１と、該有効バーストの後部部分１３１ａをコピーして該有効バーストの頭部に設けたガードインターバル（ＧＩ）に挿入したダミーバースト１３１ｂとで構成してなり、該ガードインターバル（ＧＩ）を、想定されるマルチパス波の遅延時間を考慮して定める工夫である。
【００１１】
そのことにより、受信機では、図１４のように主波１４１と遅延波１４２を受信しても、合成波１４３を生成して、ガードインターバル（ＧＩ）部分を取り除くことで、有効バーストを取り出すことができる。
【００１２】
ＯＦＤＭ変調をはじめとして他の変調方式でもフェージングという移動通信の宿命よるバーストエラーに対する耐性や，伝送品質の劣悪な状況下でも極力通話を維持できる性能が要求されている。このため，伝送エラーに対するより高度な符号誤り訂正技術が使用されてきており、ターボ符号という誤り訂正方式が注目されている。
【００１３】
ターボ符号の符号器・復号器を図１５に示す（例えば、非特許文献１参照）。（ａ）符号器において、情報ビット系列は要素符号器１（エンコーダ１）（１５１）に入力され、パリティビット系列１がつくられる。情報ビット系列は同時にインタリーバ１５２で順序が並べ替えられ、要素符号器２（エンコーダ２）（１５３）に入力され、パリティビット系列２がつくられる。２つのパリティビット列は、間引・多重化器１５４で、間引き（ｐｕｎｃｔｕｒｉｎｇ）されながら多重化されるか、あるいは単純に多重化され、多重化器１５５で、さらに情報ビット系列と多重化されて、情報ビット（符号語）がつくり出され、通信路に送出される。２つの符号器の構成は同じでもよいし異なってもよい。
【００１４】
受信機では、上記（ａ）符号器に対応する（ｂ）復号器を有し、上記情報ビット（符号語）に対応した受信信号系列が要素復号器１（１５６）に入力される。要素復号器１（１５６）は要素符号器１（エンコーダ１）（１５１）に対応するものであり、要素復号器２（１５８）は要素符号器２（エンコーダ１）（１５３）に対応するものである。要素復号器１（１５６）は、上記受信信号系列を、要素復号器２（１５８）から伝えられた信頼度情報である事前値１とともに復号処理し、外部値１を出力する。その外部値１はインターリーバ１５７で並び替えられ、事前値２として要素復号器２（１５８）に入力される。
【００１５】
要素復号器２（１５８）は、インタリーバ１５７で並び替えられた上記情報ビット（符号語）に対応した受信信号系列と、上記事前値２とが入力され、復調処理を行い外部値２を出力する。この外部値２はデインタリーバ１５９でインタリーバ１５７による並び替えを戻す操作を受け、上記事前値１として要素復号器１（１５６）に入力され、繰り返し復号が行われる。この繰り返しを数回から十数回繰り返した後、要素復号器２（１５８）は、対数事後確率比として定義されること後値を計算し、それを硬判定することで、最終判定を行い、誤り訂正処理を完結する。
【００１６】
図１６はターボ符号の符号器・復号器を用いたＯＦＤＭ変調による伝送システムの構成を示す図である。伝送システムは、送信機と受信機からなり、送信機においては、ターボ符号器１６１の出力がキャリア分配器１６２に入力され、キャリア分配器１６２の出力がガードインターバル付加器１６３に入力され、ガードインターバル付加器１６３の出力が高周波器１６４に入力され、ＯＦＤＭ変調された送信データがアンテナ１１１ａから送信される。受信機においては、アンテナ１１２ａで受けたＯＦＤＭ変調された受信データが高周波器１６５に入力され、高周波器１６５の出力がガードインターバル削除器１６６に入力され、ガードインターバル削除器１６６の出力がキャリア分配器１６７に入力され、キャリア分配器１６７の出力がターボ復号器１６８に入力される。
【００１７】
【非特許文献１】
萩原春生，大橋正良著、“ターボ符号  連接符号化・繰返し復号”、電子情報通信学会誌、２００１年３月号、ｐ１８４−１８５
【００１８】
【発明が解決しようとする課題】
移動体通信ではマルチパスやフェージングにより、時間的に誤りの分布が出来る。しかし従来の方式ではターボ復号における繰り返し回数すなわち反復回数が一定であり、誤りの分布や頻度によらず一様に訂正を行うため、誤りの頻度が誤り訂正能力を大幅に下回るような場合であっても誤りに対して過剰に誤り訂正を行う。また、定めた反復回数で発揮できる誤り訂正能力を超える誤りがある場合は誤りを訂正できないという課題がある。
【００１９】
本発明の目的は、誤りの頻度に応じた反復回数を行うターボ復号方法およびターボ復号を有する受信装置を提供することにある。
【００２０】
【課題を解決するための手段】
本発明は、それぞれの要素符号に対応する復号を、他方の復号結果を利用しながら繰り返して反復するターボ復号方法において、入力信号を推定し推定結果を示す信号および該ターボ復号の復号結果を示す信号の少なくともいずれかにより該ターボ復号の反復回数を決定し、決定した反復回数で該ターボ復号の反復回数を制御することを特徴とするターボ復号方法である。
【００２１】
また、本発明は、それぞれの要素符号に対応する復号を、他方の復号結果を利用しながら繰り返して反復するターボ復号をする受信装置において、受信状態を推定する手段と、推定結果を示す信号および該ターボ復号の復号結果を示す信号の少なくともいずれかにより該ターボ復号の反復回数を決定する手段とを備え、決定した反復回数で該ターボ復号の反復回数を制御することを特徴とするターボ復号を有する受信装置である。
【００２２】
【発明の実施の形態】
以下、本発明について、図面に示す実施の形態により詳細に説明する。
【００２３】
図１は、本発明によるターボ復号方法およびターボ復号を有する受信装置の第１の実施の形態を示すブロック構成図であり、この実施の形態は、受信処理部１１、受信状態推定処理部１２、反復回数決定処理部１３、ターボ復号器１４で構成される。
【００２４】
受信アンテナからの受信データ１ａが受信処理部１１に入力され、受信処理部１１の出力が復調データ１ｂとしてターボ復号器１４に入力される。
【００２５】
受信アンテナからの受信データ１ａが受信状態推定処理部１２に入力され、受信状態推定処理部１２の出力が受信状態の推定結果信号１ｃとして、反復回数決定処理部１３に入力される。反復回数決定処理部１３には、ターボ復号器１４からの出力である復号結果の信頼度信号１ｄと受信状態の推定結果信号１ｃが入力される。反復回数決定処理部１３では、反復回数を決定する信号１ｅを出力し、ターボ復号器１４に入力する。ターボ復号器１４には、復調データ１ｂと反復回数を決定する信号１ｅが入力され、復号完了データを出力する。
【００２６】
次に動作について説明する。受信処理部１１では受信データ１ａを復調して復調データ１ｂを出力する。復調データ１ｂはターボ復号器１４へ入力される。受信データ１ａは受信状態推定処理部１２にも入力される。受信状態推定処理部１２では、Ｓ／Ｎ比、軟判定情報、受信電界強度、ＣＰキャリア情報等から受信したデータの誤り率を推定し、受信状態の推定結果信号１ｃを出力する。反復回数決定処理部１３では、受信状態の推定結果信号１ｃを基に、ターボ復号における反復回数を決定し、反復回数を決定する信号１ｅを出力する。ターボ復号器１４では、復調データ１ｂを、受信状態推定処理部１２による受信状態の推定結果信号１ｃによって反復回数決定処理部１３で決定する反復回数を決定する信号１ｅの回数で、ターボ復号を行う。
【００２７】
図２は、図１の受信状態推定処理部１２の内部を示した構成図であり、Ｓ／Ｎ比判定処理部２１、軟判定処理部２２、受信電界判定処理部２３、ＣＰキャリア情報処理部、受信状態判定部２５で構成される。受信データ１ａが符号２１から２４までの処理部へ並列に入力され、各々の出力が受信状態判定部２５へ入力され、受信状態の推定結果信号１ｃが出力される。
【００２８】
次に動作について説明する。それぞれは単独で各々の受信状態を推定し、反復回数を決定する材料を出力する。各々の処理の出力は受信状態判定部２５に入力される。受信状態判定部２５では単独で出力したそれぞれの数値を組み合わせて判断することもできる。受信状態推定処理部２５では受信状態をＳ／Ｎ比、軟判定情報、受信電界強度、ＣＰキャリア情報等の各成分を単独で判断した場合の出力と複数組み合わせて判断した場合の出力の両方を出力できる。
【００２９】
Ｓ／Ｎ比判定処理部２２では以下のようなことを行う。図４のようにマルチパスやフェージングにより受信データは本来受信されるべき受信点４ａとは違う実際の受信点４ｂで受信されることがある。実際の受信点４ｂと本来受信されるべき受信点４ａとの距離Ｌを求め、シンボル方向に平均化することにより、キャリア毎のＳ／Ｎ比を求めることができる。または図５のように、１シンボル長５ｓにおける１シンボルのＳ／Ｎ比を求めて数値化する方法もある。１シンボル内のデータの平均値と各データのＳ／Ｎ比を組み合わせ、１つのデータでも任意に定めた閾値を下回った場合にはＳ／Ｎ比は低い値として定めて、その情報を反復回数決定処理部に送ってもかまわない。このように、Ｓ／Ｎ比判定処理部２１では受信したデータのＳ／Ｎ比に応じて反復回数を決定する材料を出力する。
【００３０】
軟判定処理部２２では、受信データの信頼度を判別する。受信データの各データビットに付加された軟判定情報は各データビットの信頼度を示しているため、データビットの値が正しく復号されている可能性が高い場合には軟判定は信頼度の高い値を出し、間違っている可能性が高い場合には信頼度は低い、という信頼度情報を基にすれば１ブロック当りのエラー量が推定できる。軟判定処理部２２では、軟判定から得られる信頼度に基づいてエラー量を推定し反復回数を決定する材料を出力する。
【００３１】
受信電界判定処理部２３では、受信した電波の電界強度によって誤り率を推定する。上記に記述したようにマルチパスやフェージング等により受信電界は大きく変化し、受信した電波の電界の強度によって誤りがおきる確率が変わってくる。電界強度が低いとデータの誤りが起こりやすく、電界強度が高い場合は誤りが起こりにくい。そこで、図６のように、一定区間たとえば１シンボル長５ｓ内の受信電界強度を平均化し、その値を反復回数を決定する材料にするか、あるいは一定区間内の受信電界が任意に定めた閾値を下回る値が一つでも存在したら、受信電界は低い値として定義して反復回数を増やす材料にしてもかまわない。このように、受信電界強度判別処理部２３では受信電界強度から反復回数を決定する材料を算出する。
【００３２】
ＯＦＤＭ変調では、伝送路にマルチパスがあった場合には、周波数特性によりキャリアの振幅が著しく小さくなる減少が起きる。これをＣＰキャリアから周波数選択性フェージング等の伝搬路特性を推定することが出来る。周波数特性により著しく振幅が小さくなったキャリアは、他のキャリアに比べ、誤りが発生している確立は高くなる。通信における変調方式にＯＦＤＭを用いる場合は、ＣＰを判別する処理２５で、ＣＰを用いることによって、周波数特性による受信レベルが分かるので、レベルの低下したキャリアは誤り率の高いものとして反復回数を増やす材料とする。
【００３３】
図１の受信状態推定処理部１２で推定した誤り率に応じて、反復回数決定処理１３はターボ復号の反復回数を決定する。Ｓ／Ｎ比、軟判定、受信電界、ＣＰの処理結果が、初期値として設定してある反復回数では誤りの訂正能力を超えている誤り量であると判断した場合は反復回数を増やし、エラー量が少ない場合は反復回数を少なくする。または、初めから反復回数の初期値を設定しないで、予想するエラー量に対して反復回数を決定してもよい。予めＳ／Ｎ比、軟判定、受信電界、ＣＰに対するエラー量と反復回数に対する誤り訂正能力を調査しておいて、それを基に反復回数を決定するシステムであってもよい。Ｓ／Ｎ比、軟判定、受信電界、ＣＰの処理結果をそれぞれ単体で反復回数を決定する材料としてもよく、また２種類以上の処理結果を組み合わせて反復回数を決定してもよい。
【００３４】
例えば、ＯＦＤＭ変調を用いる場合、受信電界の強度が強くＳ／Ｎ比が高くても、ガードインターバルを超えるようなマルチパスが発生すると、ＣＰを正確に等価することが不可能となり、復調結果が劣化する。このような場合には、受信電界やＳ／Ｎ比による受信状態が良好であると判断した場合でも、ＣＰの劣化状態に基づいて反復回数を決定する。このように受信状態判定部２５は２種類以上の処理結果を判別することで、より正確な受信状態の推定を行うことができるようになる。またＯＦＤＭ変調を用いる場合は、ＣＰの劣化状況を、反復回数を決定する材料に加えることで、より正確な誤りの頻度を推定できる。
【００３５】
また一例として、反復回数を初期値としては１０回と定めたときに、受信データ１ａの中の誤り率をＳ／Ｎ比判定処理部２１で推定した結果１２回の反復回数が必要であると判断し、受信電界判定処理部２３では、受信データ１ａ内の推定した誤り率から１３回の反復回数が必要であると判断したときには、設定した１０回より余計に必要な２回と３回を足しあわせて、反復回数を１５回とするような処理を行っても良い。または、各処理部２１から２４で推定した誤り率の中から最も誤り率の高いと推定したものに定めて反復回数を決定するようなことを行っても、２種類以上の受信状態を推定する処理部を設ける効果が得られる。
【００３６】
受信状態推定処理部１２内のそれぞれの処理結果が、受信データの誤り量が任意に設定した値より多いと判断した場合には反復回数を増やし、受信データ内の誤り量が少ないと推定した場合には反復回数を減らすようにする。また、ターボ復号器１４では、誤りの量が訂正能力を超えていると判断した場合には、反復回数を減らす要求を反復回数決定処理部１３へ伝えることによって反復回数を減らし、その他のデータに誤り訂正の重点を置くようにすることも可能である。反復回数決定処理部１３にて設定した反復回数により、ターボ復号器１４の反復回数を可変制御する。
【００３７】
ターボ復号器１４は軟入力と軟出力を行いながら誤りを訂正している。即ちこれは自己の復号に対する信頼度を軟判定情報として出力し、出力した軟判定情報を軟判定入力としてフィードバックして誤り訂正能力を向上させている。ターボ復号器がＩＣやＬＳＩの場合はこの軟判定情報が得られない場合もあるが、軟判定情報が得られる場合であるのなら、この軟判定出力を復号結果の信頼度信号１ｄとして反復回数決定処理部１３に入力する。復号結果の軟判定情報を基に反復回数決定処理部１３が反復回数を決定すればさらに復号途中の誤り率に応じた復号が行える。
【００３８】
以下は上記記載を具体的に示す例であり、以下のように行わなくてもよい。受信状態の推定結果信号１ｃから反復回数決定処理部１３が反復回数を１０回と定め、ターボ復号器１４に反復回数を決定する信号１ｅを１０回として出力し、ターボ復号器１４は反復回数を決定する信号１ｅの１０回として復号を行う。復号途中の軟判定情報からその反復の度に復号結果の信頼度信号１ｄをターボ復号器１４は出力している。例えば反復回数が９回になったときの復号結果の信頼度信号１ｄから、更に反復回数を３回増やす必要があると判断したときには、反復回数決定処理部１３は復号に必要量の３回として、反復回数を決定する信号１ｅが出力される。するとターボ復号器１４は軟判定情報が全て信頼のおけるデータになるまで復号を行うことが可能になる。
【００３９】
図３は、本発明によるターボ復号方法およびターボ復号を有する受信装置の第２の実施の形態を示すブロック構成図であり、この実施の形態は、受信処理部１１、受信状態推定処理部１２、反復回数決定処理部１３、ターボ復号器１４に、反復回数決定処理部３１、前メモリ３２、後メモリ３３、メモリ使用状況検知器３４を追加して構成される。
【００４０】
受信アンテナからの受信データ１ａが受信処理部１１と受信状態推定処理部１２に入力される。受信処理部１１から出力された復調データ１ｂは前メモリ３２に入力される。前メモリ３２の出力はターボ復号器１４へ入力され、ターボ復号器１４の出力は後メモリ３３へ入力される。後メモリ３３の出力は復号完了データである。
【００４１】
前メモリ３２からの前メモリ使用状況を示す信号３ａはメモリ使用状況検知器３４へ入力される。後メモリ３３からの後メモリ使用状況を示す信号３ｂもメモリ使用状況検知器３４へ入力される。メモリ使用状況検知器３４は残りの反復可能な回数を知らせる信号３ｃを出力し、反復回数決定処理部３１に入力する。ターボ復号器１４からの復号結果の信頼度信号１ｄは反復回数決定処理部３１に入力される。反復回数決定処理部３１の出力は、反復回数を決定する信号１ｅとして、ターボ復号器１４に入力される。
【００４２】
次に、動作について説明する。受信処理部１２では受信データ１ａを復調する。復調データ１ｂは前メモリ３２へ入力される。前メモリ３２で貯えられた復調データ１ｂはターボ復号器１４に入力され、ターボ復号器１４から出力された復号データは後メモリ３３に入力される、後メモリ３３で貯えられたデータは復号完了データとして出力される。
【００４３】
受信状態推定処理部１２は、図２の構成と同じであり、Ｓ／Ｎ比、軟判定情報、受信電界強度、ＣＰキャリア情報等から受信したデータの誤り率を推定する。ターボ復号器１４からの復号結果の信頼度信号１ｄとメモリ使用状況検知器３４からの残りの反復可能な回数を示す信号３ｃと受信状態の推定結果信号１ｃを基に、反復回数決定処理部３１では、ターボ復号における反復回数を決定し、反復回数を決定する信号１ｅを出力する。
【００４４】
図３のように、ターボ復号器１４の前に前メモリ３２を配置することにより一時的にデータを記憶できるので、反復回数が可変になった場合でも、ターボ復号器１４が一つ前のデータの誤りを訂正し終わると保存されている次のデータが前メモリ３２から入力することができるので、決定した反復回数で誤り訂正を行うことが可能である。
【００４５】
またターボ復号器１４とデータを排出する部位の間に後メモリ３３を設け、一定の伝送レートが確保できる。ターボ復号器１４の前に設けた前メモリ３２では、ターボ復号器１４で誤りを訂正している次以降のデータが保存されており、ターボ復号器１４が誤り訂正を終え次第、次のデータが読み出され誤りを訂正される。ターボ復号器１４の後に設けた後メモリ３３では誤り訂正が終了したデータが保存され、一定の間隔で出力される。この両者のメモリ３２，３３の使用状況をメモリ使用状況検知器３４が判別して、次に行える最大反復回数を算出し、残りの反復可能な回数を知らせる信号３ｃを出力し、信号３ｃを反復回数決定処理部３１に入力することで、メモリの容量を超えず、要求する伝送レートを満たすように反復回数を決定することで、一定の伝送レートを確保しながら反復回数を可変にする誤り訂正ができる。
【００４６】
反復回数決定処理部３１では、メモリ使用状況検知器３４からの信号３ｃから伝送レートを一定に保つことができる範囲での反復回数が分かる。その範囲内で推定した誤り量に合わせて反復回数を決定すれば伝送レートを一定に保つことができる。
【００４７】
反復回数決定処理部３１において、伝送レートを一定に保ちながら反復回数を可変にする処理の流れは、図７のようになる。反復回数を決定する信号１ｅの示す反復回数をｗ、受信状態の推定結果信号１ｃの示す反復回数をｘ、ターボ復号器からの復号結果の信頼度信号１ｄが示す反復回数をｙ、メモリの使用状況検知器からの信号３ｃをｚとすると、まず、ｘとｙのいずれかがｚ以上であるかを判断し（Ｓ７０１）、ｚ以上である場合は反復回数ｗはｚとする（Ｓ７０２）。Ｓ７０１において、ｘとｙの両方がｚ以上でない場合は、ｘがｙ以上であるかを判断し（Ｓ７０３）、ｙ以上である場合は、反復回数ｗはｘとする（Ｓ７０４）。ｙ以上でない場合は、反復回数ｗはｙとする（Ｓ７０５）。
【００４８】
連続してターボの訂正能力を上回るようなデータを受信した場合には、受信状態の推定結果信号１ｃにより、ターボ復号器１４の前に設けてある前メモリ３２によって受信状態を判別してからそのデータがターボ復号器１４に入力されるまでに遅延があることを利用し、反復回数決定処理部３１は全データに訂正を施すのではなく、訂正可能なデータに限って訂正を行うことが可能になる。
【００４９】
ここで、上記は、何れの場合でも、前記誤り訂正の方式であるターボ符号が、図１５のように２個の要素復号器が並列接続された、並列連接の再帰的組織畳み込み符号である場合について説明したが、本発明はそれに限定されず、直列連接の再帰的組織畳み込み符号であっても、またターボ積符号のようなターボライク符号であっても、また低密度パリティ検査（Ｌｏｗ  Ｄｅｎｓｉｔｙ  Ｐａｒｉｔｙ  Ｃｈｅｃｋ：  ＬＤＰＣ）符号であっても良い。
【００５０】
本発明の実施の形態によれば、フェージング等により誤りに偏りが生じた場合であっても、誤りが多い時にはターボ復号の反復回数を増やすことで効率的に誤り訂正を行うことができる。
【００５１】
【発明の効果】
本発明によれば、誤りの頻度に応じた反復回数を行うターボ復号方法およびターボ復号を有する受信装置を得ることができる。
【図面の簡単な説明】
【図１】本発明によるターボ復号方法およびターボ復号を有する受信装置の第１の実施の形態を示すブロック構成図である。
【図２】図１の受信状態推定処理部の内部を示した構成図である。
【図３】本発明によるターボ復号方法およびターボ復号を有する受信装置の第２の実施の形態を示すブロック構成である。
【図４】受信データ中のキャリア毎のＳ／Ｎ比を説明する図である。
【図５】受信データ１シンボルの平均Ｓ／Ｎ比を説明する図である。
【図６】受信電波の受信電界強度を説明する図である。
【図７】図３の反復回数決定処理部において、伝送レートを一定に保ちながら反復回数を可変にする処理を示す図である。
【図８】ＯＦＤＭ変調におけるキャリア配置の説明図である。
【図９】ＯＦＤＭのキャリアと通常のマルチキャリア変調方式とは異なることを説明する図である。
【図１０】ＯＦＤＭの電力スペクトルを説明する図である。
【図１１】一般的な電波の送受信機間での伝搬の様子を示す図である。
【図１２】移動体通信における電波の回折の様子を示す図である。
【図１３】ターボ符号器・復号器の基本構成を示す図である。
【図１４】ＯＦＤＭ変調におけるガードインターバルの構成を示す図である。
【図１５】ガードインターバルの効果を示す図である。
【図１６】ターボ符号の符号器・復号器を用いたＯＦＤＭ変調による伝送システムの構成を示す図である。
【符号の説明】
１１：受信処理部、１２：受信状態推定処理部、１３：反復回数決定処理部、１４：ターボ復号器、２１：Ｓ／Ｎ比判定処理部、２２：軟判定処理部、２３：受信電界判定処理部、２４：ＣＰキャリア情報処理部、２５：受信状態判定部、３１：反復回数決定処理部、３２：前メモリ、３３：後メモリ、３４：メモリ使用状況検知器、１ａ：受信データ、１ｂ：復調データ、１ｃ：受信状態の推定結果信号、１ｄ：復調結果の信頼度信号、１ｅ：：反復回数を決定する信号、３ａ：前メモリ使用状況信号、３ｂ：後メモリ使用状況信号、３ｃ：残りの反復可能な回数を知らせる信号。
【図１】
2004229169.tif 000003
【図２】
2004229169.tif 000004
【図３】
2004229169.tif 000005
【図４】
2004229169.tif 000006
【図５】
2004229169.tif 000007
【図６】
2004229169.tif 000008
【図７】
2004229169.tif 000009
【図８】
2004229169.tif 000010
【図９】
2004229169.tif 000011
【図１０】
2004229169.tif 000012
【図１１】
2004229169.tif 000013
【図１２】
2004229169.tif 000014
【図１３】
2004229169.tif 000015
【図１４】
2004229169.tif 000016
【図１５】
2004229169.tif 000017
【図１６】
2004229169.tif 000018